(57)【要約】【課題】複数の記憶媒体に対してコンテンツを記録することが可能なよう制御する記録制御装置及び記録制御方法において、記憶媒体の長寿命化を図ることを目的とする。【解決手段】複数の記憶媒体（ＨＤＤ２９０，２９１，２９２等）に記憶されるそれぞれのアイドル状態を含めた稼働時間情報を検出し、前記稼動時間情報を用いてこれらの記憶媒体の中から相対的に残り寿命が長い記憶媒体をコンテンツの記録先として決定し、当該決定された記憶媒体にコンテンツを優先的に記録するよう制御する記録制御モジュール２６１ｄを備えることを特徴とする。【選択図】  図２
2011134411.tif 000002
【特許請求の範囲】
【請求項１】
複数の記憶媒体に記憶されるそれぞれのアイドル状態を含めた稼働時間情報を検出し、前記稼動時間情報を用いて前記複数の記憶媒体の中から相対的に残り寿命が長い記憶媒体をコンテンツの記録先として決定し、当該決定された記憶媒体にコンテンツを優先的に記録するよう制御する記録制御手段を備えることを特徴とする記録制御装置。
【請求項２】
前記複数の記憶媒体は、第１の記憶媒体と第２の記憶媒体とを少なくとも含み、
第１の記録処理に対応して前記第１の記憶媒体へコンテンツを記録するための第１の記録制御情報と、第２の記録処理に対応して前記第２の記憶媒体へコンテンツを記録するための第２の記録制御情報とを含むデフォルト記録制御情報を記憶する記憶手段を更に備え、
前記記録制御手段は、前記第１の記憶媒体と前記第２の記憶媒体の前記稼働時間情報に基づいて、前記第１の記録処理に対応するコンテンツの記録先を前記第１の記憶媒体から前記第２の記憶媒体へと切り換えるよう制御することを特徴とする請求項１に記載の記録制御装置。
【請求項３】
前記記録制御手段は、前記第１の記憶媒体と前記第２の記憶媒体のうち、各稼働時間の累積値が低い記憶媒体を、前記残り寿命が長い記憶媒体として決定することを特徴とする請求項２に記載の記録制御装置。
【請求項４】
前記記録制御手段は、前記第１の記憶媒体と前記第２の記憶媒体のうち、各動作保証時間に対する各前記稼動時間の比率が低い記憶媒体を、前記残り寿命が長い記憶媒体として決定することを特徴とする請求項２に記載の記録制御装置。
【請求項５】
前記第１の記録処理は、番組指定録画に対応した記録処理であり、前記第２の記録処理は、複数チャンネルの同時自動録画に対応した記録処理であることを特徴とする請求項２に記載の記録制御装置。
【請求項６】
前記第１の記憶媒体は、モータにより回転される第１のサイズのディスクを含んで構成され、
前記第２の記憶媒体は、モータにより回転される前記第１のサイズより大きい第２のサイズのディスクを含んで構成されていることを特徴とする請求項２に記載の記録制御装置。
【請求項７】
前記第１の記憶媒体は、モータにより回転される第１のサイズのディスクを含んで構成され、
前記第２の記憶媒体は、モータにより回転される前記第１のサイズと同サイズのディスクを含んで構成されていることを特徴とする請求項２に記載の記録制御装置。
【請求項８】
複数の記憶媒体にコンテンツを記録する記録制御方法であって、
前記複数の記憶媒体のそれぞれの、アイドル状態を含めた稼働時間情報を検出するステップと、
前記検出された稼働時間情報を用いてに基づき、前記複数の記憶媒体の中から相対的に残り寿命が長い記憶媒体をコンテンツの記録先として決定するステップと、
当該決定された記憶媒体にコンテンツを優先的に記録するよう制御するステップと、を有することを特徴とする記録制御方法。
【発明の詳細な説明】
【技術分野】
【０００１】
本発明は、複数の記憶媒体にコンテンツを記録することが可能な記録制御装置及び記録制御方法に関する。
【背景技術】
【０００２】
デジタル放送の番組を記録や再生することが可能な記録再生装置が普及している。例えば、記録再生装置は、ＨＤＤ(Hard Disk Drive)、ＤＶＤ（Digital Versatile Disk）及び不揮発性メモリ等の記憶媒体を使ってデジタル放送を記録する。ＨＤＤ及び不揮発性メモリ等の記憶媒体の記憶容量は年々増大している。このために、これらの記憶媒体を利用した記録再生装置、及びこれらの記憶媒体を利用した記録機能付きテレビジョン受信機は、多数の番組を記録することができる。
【０００３】
これらの記憶媒体は、稼働時間が長くなる程故障し易くなり、寿命が短くなるのが一般的である。そこで、例えば特許文献１には、記憶部の累積再生時間や累積記録時間に基づいて、コンテンツの記録先ＨＤＤを決定することで、記憶部の寿命を延ばすことが可能な記録再生装置が開示されている。
【先行技術文献】
【特許文献】
【０００４】
【特許文献１】特開２００８−９０８８７号公報
【発明の概要】
【発明が解決しようとする課題】
【０００５】
上記のとおり、特許文献１では、記憶部の累積再生時間や累積記録時間に基づいて、コンテンツの記録先ＨＤＤを決定している。しかしながら、記憶媒体の更なる長寿命化を図れる技術が望まれている。
【０００６】
この発明は上記事情を考慮してなされたものであり、複数の記憶媒体に対してコンテンツを記録することが可能なよう制御する記録制御装置及び記録制御方法であって、記憶媒体の長寿命化を図ることを目的とする。
【課題を解決するための手段】
【０００７】
本発明の主な特徴は以下のとおりである。すなわち、本発明の記録制御装置は、複数の記憶媒体に記憶されるそれぞれのアイドル状態を含めた稼働時間情報を検出し、前記稼動時間情報を用いて前記複数の記憶媒体の中から相対的に残り寿命が長い記憶媒体をコンテンツの記録先として決定し、当該決定された記憶媒体にコンテンツを優先的に記録するよう制御する記録制御手段を備えることを特徴とする。
【０００８】
また、本発明の記録制御方法は、複数の記憶媒体にコンテンツを記録する記録制御方法であって、前記複数の記憶媒体のそれぞれの、アイドル状態を含めた稼働時間情報を検出するステップと、前記検出された稼働時間情報を用いてに基づき、前記複数の記憶媒体の中から相対的に残り寿命が長い記憶媒体をコンテンツの記録先として決定するステップと、当該決定された記憶媒体にコンテンツを優先的に記録するよう制御するステップと、を有することを特徴とすることを有することを特徴とする。
【発明の効果】
【０００９】
本発明によれば、記憶媒体の長寿命化を図ることが可能な記録制御装置及び記録制御方法を提供できる。
【図面の簡単な説明】
【００１０】
【図１】本実施形態に係る記録制御装置の構成を示す図である。
【図２】本実施形態に係る記録制御装置の主要な信号処理系を示す図である。
【図３】本実施形態に係る記録制御装置の記録動作制御例を説明するための図である。
【発明を実施するための形態】
【００１１】
以下、この発明の最良の実施形態について、図面を参照しながら説明する。図１は、以下の実施形態で説明するテレビジョン放送受信装置１１１の外観の一例を概略的に示している。テレビジョン放送受信装置１１１は、映像音声出力装置１１１ａ及び放送受信装置１１１ｂ（情報記録装置）とを含む。なお、本実施形態では、図１に示すように、映像音声出力装置１１１ａと放送受信装置１１１ｂとがケーブル１２０（例えばHDMIケーブル）で接続される２ピース型のデジタルテレビジョン放送受信システムについて説明するが、本発明はこれに限定されるものではない。例えば、映像音声出力装置１１１ａと放送受信装置１１１ｂとが一つの筐体に含まれてテレビジョン放送受信装置１１１を構成してもよい。
【００１２】
映像音声出力装置１１１ａは、主として、薄型の筐体（以下、キャビネット１１２）と、このキャビネット１１２を起立させて支持する支持台１１３とから構成されている。キャビネット１１２には、例えば液晶表示パネルやプラズマパネル等を備えた平面パネル型ディスプレイである映像表示モジュール１１４、スピーカ１１５、操作モジュール１１６、リモートコントローラ１１７から送信される操作情報を受けるリモコン受光モジュール１１８等が設置されている。
【００１３】
放送受信装置１１１ｂはチューナー部１０３を含み、チューナ部１０３には、地上デジタルテレビジョン放送用のチューナー１０３１〜１０３６とＢＳ／ＣＳデジタルテレビジョン放送のチューナー１０３７とが含まれている。
【００１４】
図２は、テレビジョン放送受信装置１１１のうち本発明に関わる主要な信号処理系の一例を示している。ＢＳ／ＣＳデジタル放送受信用のアンテナ２４３で受信した衛星デジタル放送信号は、入力端子２４４を介して衛星デジタル放送用のチューナ１０３７に供給されることにより、所望のチャンネルの放送信号が選局される。チューナ１０３７で選局された放送信号は、ＰＳＫ（Phase Shift Keying）復調モジュール（不図示）に供給されてＴＳ(Transport Stream)が復調される。ＴＳは、ＴＳ復号モジュール（不図示）に供給されてデジタルの映像信号、音声信号、データ信号等に復号化された後、信号処理モジュール２４８に出力される。
【００１５】
地上波放送受信用のアンテナ２４９で受信した地上デジタルテレビジョン放送信号は、入力端子２５０を介して地上デジタル放送用のチューナ１０３１〜１０３６に供給されることにより、所望のチャンネルの放送信号が選局される。チューナ１０３１〜１０３６で選局された放送信号は、ＯＦＤＭ（Orthogonal Frequency Division Multiplexing）復調モジュール（不図示）に供給されてＴＳが復調される。このＴＳは、ＴＳ復号モジュール（不図示）に供給されてデジタルの映像信号、音声信号、データ信号等に復号化された後、上記信号処理モジュール２４８に出力される。
【００１６】
なお、地上波放送受信用のアンテナ２４９で受信した地上アナログテレビジョン放送信号は、入力端子２５０を介して地上アナログ放送用のチューナ（不図示）に供給されることにより、所望のチャンネルの放送信号が選局される。そして、このチューナで選局された放送信号は、アナログ復調モジュール（不図示）に供給されてアナログの映像信号及び音声信号に復調された後、上記信号処理モジュール２４８に出力される。
【００１７】
信号処理モジュール２４８は、テレビ視聴時には、上記ＴＳ復号モジュール（不図示）からそれぞれ供給されたデジタルの映像信号及び音声信号に対して、選択的に所定のデジタル信号処理を施し、グラフィック処理モジュール２５４及び音声処理モジュール２５５に出力している。
【００１８】
制御モジュール２６１には、信号処理モジュール２４８やＴＳ復号モジュールから、番組を取得するための各種データや電子番組ガイド（ＥＰＧ）情報，番組属性情報（番組ジャンル等），字幕情報等（サービス情報、ＳＩやＰＳＩ）が入力されている。制御モジュール２６１は、これら入力された情報からＥＰＧ，字幕を表示するため画像生成処理を行い、この生成した画像情報をグラフィック処理モジュール２５４へ出力する。
【００１９】
グラフィック処理モジュール２５４は、信号処理モジュール２４８から供給されるデジタルの映像信号にＯＳＤ（On Screen Display）信号生成モジュール２５７で生成されるＯＳＤ信号を重畳して出力する。
【００２０】
グラフィック処理モジュール２５４から出力されたデジタルの映像信号は、映像処理モジュール２５８に供給される。この映像処理モジュール２５８は、入力されたデジタルの映像信号を、前記映像表示モジュール１１４で表示可能なフォーマットのアナログ映像信号に変換した後、映像表示モジュール１１４に出力して映像表示させる。
【００２１】
音声処理モジュール２５５は、入力されたデジタルの音声信号を、スピーカ１１５で再生可能なフォーマットのアナログ音声信号に変換した後、スピーカ１１５に出力して音声再生させる。
【００２２】
また、テレビジョン放送受信装置１１１は複数の記憶媒体（例えば、ＨＤＤ２９０，２９１）を備え、ＨＤＤ２９０，２９１に対して番組データの記録を行なうことができる。また、制御モジュール２６１の制御に基づいて、ＨＤＤ２９０，２９１に記録された番組を再生することも可能である。ＨＤＤ２９０，２９１は放送受信装置１１１ｂの筺体内部、あるいは映像音声出力装置１１１ａのキャビネット１１２内に設けられている。
【００２３】
また、テレビジョン放送受信装置１１１は種々のインターフェースを備えている。例えば、制御モジュール２６１は、ＵＳＢＩ／Ｆ（Interface）２７１を介してＵＳＢ端子１２３に接続されている。これにより、制御モジュール２６１は、ＵＳＢ端子１２３に接続された機器（例えば、外付けＨＤＤ２９２）と、ＵＳＢ  Ｉ／Ｆ２７１を介して情報伝送することができる。つまり、ＨＤＤ２８０に対する番組データの記録や再生を行うことも可能である。
【００２４】
また、テレビジョン放送受信装置１１１は、スクランブル放送に対応するために、複数チャンネルに対応した複数のデスクランブル用のカードを挿入するための複数のカードスロット３０１〜３０６を備えている。カードスロット３０１は、ＢＳ・ＣＳ・地上共用カード（赤カード）を装填するためのスロットである。カードスロット３０１に赤カードが挿入されると、チューナー１０３１による地上デジタルテレビジョン放送信号のデスクランブル又はチューナー１０３７によるＢＳ／ＣＳデジタルテレビジョン放送信号のデスクランブルが可能となる。
【００２５】
さらに、カードスロット３０２〜３０６は、地上デジタル専用カード（青カード）を装填するためのスロットである。カードスロット３０２〜３０６夫々に青カードが挿入されると、チューナー１０３２〜１０３６による地上デジタルテレビジョン放送信号のデスクランブルが可能となる。制御モジュール２６１は、これらデスクランブルされた放送信号の再生を制御したり、記録を制御したりする。
【００２６】
テレビジョン放送受信装置１１１は、上記した各種の動作（番組の受信動作や録画動作、録画した番組の再生）を含む動作を制御モジュール２６１によって統括的に制御されている。制御モジュール２６１は、ＣＰＵ（Central Processing Unit）やマイコン等を内蔵しており、操作部１１６やリモートコントローラ１１７からの操作情報を受けて、その操作内容が反映されるよう各モジュール等をそれぞれ制御している。
【００２７】
制御モジュール２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを備えている。
【００２８】
制御モジュール２６１には記録制御モジュール２６１ｄが含まれる。記録制御モジュール２６１ｄの制御に基づいて、受信した番組等のコンテンツデータは、所定の記憶媒体に記録される。ここでいう所定の記憶媒体は、ＨＤＤ２９０、２９１、２９２やメモリーカードのいずれでもよいし、ＤＶＤレコーダに備えられたＤＶＤディスクやＨＤＤ等でもよい。記録する番組は、地上波や衛星で放送される番組に限らず、インターネット経由で受信する番組でもよいし、いわゆるワンセグ番組であってもかまわない。また、記録制御モジュール２６１ｄは、リモートコントローラ１１７等で入力された録画予約情報に基づいて、目的の番組が放送開始となれば、予約された番組の録画が実行されるよう制御する。
【００２９】
本実施形態に係る記録制御モジュール２６１ｄでは、その制御に基づいて、複数チャンネルの指定時間帯（例えば１週間分）の番組を自動的に同時録画することができる。このような複数チャンネルの同時録画をマルチ同時録画と称する。マルチ同時自動録画と称してもよい。マルチ同時録画では、複数チャンネルの指定時間帯の番組を自動的に同時録画するため、１週間を過ぎた番組は削除される（１週間を過ぎた番組は新しい番組で上書きされる）。テレビジョン放送受信装置１１１では、複数チャンネルの放送波を同時に受信してマルチ同時録画を実現するために、複数チャンネルに対応した複数チューナ１０３１〜１０３７を備えている。
【００３０】
また、記録制御モジュール２６１ｄは、不揮発性メモリ２６１ｃに記憶されたデフォルト記録制御情報と、記憶媒体自身に記録された、アイドル状態を含めた電源オンの稼働時間情報とに基づき、チューナー１０３１〜１０３７により選局されデスクランブルされた放送信号（コンテンツ）を複数の記憶媒体（例えばＨＤＤ２９０，２９１，２９２）の何れかへ記録するための記録動作を制御する。なお、記録動作の制御については後に詳しく説明する。
【００３１】
ＨＤＤ２９０，２９１，２９２は、例えば、表面がアルミダイキャスト等の金属材料でカバーされたトップカバーと、同じくアルミダイキャスト等の金属材料から成るベースシャーシとを含んでいる。ＨＤＤ２９０，２９１，２９２おいて、トップカバー側の内部には、例えば１〜３．５インチ程度の複数の磁気ディスクと、磁気ディスクに対して読み書きするための複数のヘッドや、磁気ディスクを回転駆動するためのモータ等の駆動部が配置されている。なお、本実施形態では例示として、ＨＤＤ２９０が約２．５インチの複数の磁気ディスクにより構成され、ＨＤＤ２９１が約３．５インチの複数の磁気ディスクにより構成されている。
【００３２】
不揮発性メモリ２６１ｃには、デフォルト記録制御情報が記憶されている。デフォルト記録制御情報は、第１の記録処理（例えば番組指定録画）に対応して第１の記憶媒体（例えばＨＤＤ２９０）へコンテンツを記録するための第１の記録制御情報と、第２の記録処理（例えばマルチ同時録画）に対応して第２の情報記憶媒体（例えばＨＤＤ２９１）へコンテンツを記録するための第２の記録制御情報とを含む。なお、番組指定録画とは、リモートコントローラ１１７を介してユーザーが指定した番組を録画する処理であり、ＰＶＲ（Personal Video Recoding）とも称する。
【００３３】
また、ＨＤＤ２９０，２９１，２９２はそれぞれ、構成するモータ等のアイドル状態を含めた電源オンの稼働時間情報が記憶されている。この稼働時間情報は、例えばS.M.A.R.T. (Self-Monitoring, Analysis and Reporting Technology)情報の項目に含まれるPower-On-Hours-Countの情報を用いることである。Power-On-Hours-Countは、工場出荷状態からのハードディスクの通電時間（オン時間）の合計（積算時間）を示す。更に詳しく言えば、Power-On-Hours-Countによれば、ＨＤＤが記録動作や再生動作を実際に行われている時間のみならず、「それらの動作は行われていないが通電されている状態（アイドル状態）」を含めた稼働時間や稼働時間の累積がわかる。本発明にかかる記録制御モジュール２６１は、複数の記憶媒体に記憶された稼働時間情報を検出する。
【００３４】
次に、図３を参照して、デフォルト記録制御情報及び稼働時間情報に基づく記録動作の制御例について説明する。
図３（Ａ）に示すように、例えば、ＨＤＤ２９０が２．５インチＨＤＤであり、ＨＤＤ２９１が３．５インチＨＤＤである。３．５インチＨＤＤの記憶容量は、２．５インチＨＤＤの記憶容量より多い。また、マルチ同時録画では番組指定録画よりも多数のコンテンツが長時間記録されると考えられるため、マルチ同時録画で必要とされる記憶容量は、番組指定録画で必要とされる記憶容量より多い。そこで、デフォルト記録制御情報では、ＨＤＤ２９０（２．５インチＨＤＤ）を番組指定録画用（ＰＶＲ用）に割り当て、ＨＤＤ２９１（３．５インチＨＤＤ）をマルチ同時録画用に割り当てる。
【００３５】
記録制御モジュール２６１ｄは、複数の記憶媒体（各ＨＤＤ）の稼働時間情報を検出し、これら稼働時間情報を用いて、複数の記憶媒体の中から相対的に残り寿命が長いと考えられる記憶媒体をコンテンツの記録先として決定し、当該決定された記憶媒体にコンテンツを優先的に記録するよう制御する。残り寿命は、動作保証時間が経過するまでの時間とする。
【００３６】
ところで、ＨＤＤの動作保証時間は各メーカーが設定するものであるが、製品に応じて異なる。例えば、本実施形態ではＨＤＤ２９０（２．５インチＨＤＤ）の動作保証時間が３３０００時間であり、ＨＤＤ２９１（３．５インチＨＤＤ）の動作保証時間が３００００時間であるとする。上記のとおり、マルチ同時録画では、マルチ同時録画では番組指定録画よりも多数のコンテンツが長時間記録されると考えられるため、ＨＤＤ２９１の方がＨＤＤ２９０よりも動作時間が多くなると想定される。
【００３７】
そこで、ＨＤＤ２９０，２９１の電源オンの稼働時間情報に基づき、記録制御モジュール２６１ｄは以下のように記録制御する。
具体的には例えば、記録制御モジュール２６１ｄは、S.M.A.R.T. (Self-Monitoring, Analysis and Reporting Technology)情報の項目に含まれるPower-On-Hours-Countを用いて各ＨＤＤの電源オンの稼働時間の累積値を比較する。すなわち、各ＨＤＤの稼働時間の累積値が低いＨＤＤを、残り寿命が長い記憶媒体として決定する。なお、各ＨＤＤの電源オンの稼働時間が例えば一定値（閾値）よりも少ない場合、すなわち、ＨＤＤの動作保証時間に対して電源オンの稼働時間の累積が十分に少ない場合にはでデフォルト記録制御情報に基づいて記録制御する。従って、当初は上記のとおり、ＨＤＤ２９０が番組指定録画の処理に対応し、ＨＤＤ２９１がマルチ同時録画用に割り当てられ、ＨＤＤ２９０あるいはＨＤＤ２９１の稼働時間が一定値越えた場合に、記録制御モジュール２６１ｄは、ＨＤＤ２９０、２９１のうち、残り寿命が長い記憶媒体（稼働時間の累積値が少ない記憶媒体）をコンテンツの記録先として決定する。例えば、ＨＤＤ２９０の稼働時間の累積値がＨＤＤ２９１よりも少ない場合には、図３（Ｂ）に示すように、マルチ同時録画に対応するコンテンツの一部あるいは全部の記録先をＨＤＤ２９１からＨＤＤ２９０へと切り換える。この場合、記録制御モジュール２６１ｄは、マルチ同時録画であって番組指定録画と重ならない時間帯に対してＨＤＤ２９０へコンテンツを記録してもよい。
【００３８】
また、記録制御モジュール２６１ｄは、各ＨＤＤの電源オンの稼働時間情報から、各動作保証時間に対する各稼動時間の比率が低いＨＤＤを、残り寿命が長い記憶媒体として決定してもよい。なお、上記と同様、各ＨＤＤの動作保証時間に対する稼動時間の比率が十分に少ない場合には、デフォルト記録制御情報に基づいて記録制御してもよい。従って、当初は上記のとおり、ＨＤＤ２９０が番組指定録画の処理に対応し、ＨＤＤ２９１がマルチ同時録画用に割り当てられ、ＨＤＤ２９０あるいはＨＤＤ２９１のＨＤＤの動作保証時間に対する稼動時間の比率が一定値を越えた場合に、記録制御モジュール２６１ｄは、ＨＤＤ２９０，２９１のうち、各動作保証時間に対する各稼動時間の比率が低いＨＤＤを残り寿命が長い記憶媒体とみなし、当該ＨＤＤをコンテンツの記録先として決定する。例えば、ＨＤＤ２９１の動作保証時間に対する各稼動時間の比率が閾値の５０％を越え、ＨＤＤ２９０が８０％だった場合には、図３（Ｂ）に示すように、マルチ同時録画に対応するコンテンツの一部あるいは全部の記録先をＨＤＤ２９１からＨＤＤ２９０へと切り換える。
【００３９】
なお、図３（Ｃ）に示すように、記録制御モジュール２６１ｄは、対応する記録処理をＨＤＤ間で入れ替えても良い。つまり、記録制御モジュール２６１ｄは、マルチ同時録画に対応してＨＤＤ２９０へ番組を記録し、番組指定録画に対応してＨＤＤ２９１へ番組を記録するというように各ＨＤＤの記録対象を動的に制御してもよい。
【００４０】
以上により、テレビジョン放送受信装置１１１が、記憶容量や動作保証時間が異なる複数の（上記例ではＨＤＤ２９０、２９１）などを備えている場合に、ＨＤＤの稼働時間情報に応じて、コンテンツの記録先を選択する。従って、各ＨＤＤに対する稼働時間を平均化することができ、結果としてＨＤＤの寿命を延ばすことが出来る。
【００４１】
なお、本実施形態では、テレビジョン放送受信装置１が、稼働時間情報を含めた各種条件に応じて、内蔵されたＨＤＤ２９０、２９１の中から所定の記憶媒体を選択し、選択した記憶媒体へ情報を記録するケースについて説明した。しかしながら、本発明は、これだけに限定されるものではない。例えば、テレビジョン放送受信装置１１１が、内蔵されたＳＳＤやフラッシュメモリなど、モーターやディスク等から構成されていない不揮発性メモリや外付けされた記憶媒体（例えばＨＤＤ２９２）を含めた中から、各記憶媒体の稼働時間情報などに応じて記録先の記憶媒体を決定し、決定した記憶媒体へ様々なコンテンツを記録するケースにも、本発明を適用することができる。
【００４２】
また、上記例ではＨＤＤ２９０、２９１のように、ＨＤＤのディスクサイズや容量が異なる場合について説明したが、図３（Ｄ）に示すように、同じディスクサイズや同じ容量のＨＤＤ２９３、２９４に対して本発明を適用することもできる。
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【００４４】
１０３…チューナー部、１１１…テレビジョン放送受信装置、１１２…キャビネット、１１３…支持台、１１４…ディスプレイ、１１５…スピーカ、１１６…操作モジュール、１１７…リモートコントローラ、１１８…受光モジュール、１２３…ＵＳＢ端子、２４３…アンテナ、２４４…入力端子、２４９…アンテナ、２５０…入力端子、２５４…グラフィック処理モジュール、２５５…音声処理モジュール、２５７…ＯＳＤ信号生成モジュール、２６１…制御モジュール、２６１ａ…ＲＯＭ、２６１ｂ…ＲＡＭ、２６１ｃ…不揮発性メモリ、２６１ｄ…記録制御モジュール、２７１…ＵＳＢＩ/Ｆ、２９０〜２９４、２９５…ＨＤＤ、３０１〜３０６…カードスロット、１０３１〜１０３７…チューナー。
【図１】
2011134411.tif 000003
【図２】
2011134411.tif 000004
【図３】
2011134411.tif 000005
【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
第１の記憶媒体と第２の記憶媒体とを少なくとも含む複数の記憶媒体に記憶されるそれぞれのアイドル状態を含めた通電時間情報を検出し、
前記第１の記憶媒体と前記第２の記憶媒体のうち、前記アイドル状態を含めた通電時間の累積値が低い記憶媒体を残り寿命が長い記憶媒体として決定し、当該決定された記憶媒体にコンテンツを優先的に記録するよう制御する記録制御手段を備えることを特徴とする記録制御装置。
【請求項２】
第１の記録処理に対応して前記第１の記憶媒体へコンテンツを記録するための第１の記録制御情報と、第２の記録処理に対応して前記第２の記憶媒体へコンテンツを記録するための第２の記録制御情報とを含むデフォルト記録制御情報を記憶する記憶手段を更に備え、
前記第１の記録処理は、番組指定録画に対応した記録処理であり、前記第２の記録処理は、複数チャンネルの同時自動録画に対応した記録処理であることを特徴とする請求項１に記載の記録制御装置。
【請求項３】
前記第１の記憶媒体は、モータにより回転される第１のサイズのディスクを含んで構成され、
前記第２の記憶媒体は、モータにより回転される前記第１のサイズより大きい第２のサイズのディスクを含んで構成されていることを特徴とする請求項１に記載の記録制御装置。
【請求項４】
前記第１の記憶媒体は、モータにより回転される第１のサイズのディスクを含んで構成され、
前記第２の記憶媒体は、モータにより回転される前記第１のサイズと同サイズのディスクを含んで構成されていることを特徴とする請求項１に記載の記録制御装置。
【請求項５】
複数の記憶媒体にコンテンツを記録する記録制御方法であって、
第１の記憶媒体と第２の記憶媒体とを少なくとも含む複数の記憶媒体のそれぞれの、アイドル状態を含めた通電時間情報を検出するステップと、
前記第１の記憶媒体と前記第２の記憶媒体のうち、前記アイドル状態を含めた通電時間の累積値が低い記憶媒体を残り寿命が長い記憶媒体として決定するステップと、
当該決定された記憶媒体にコンテンツを優先的に記録するよう制御するステップと、
を有することを特徴とする記録制御方法。
【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
番組指定録画に対応して第１の記憶媒体へコンテンツを記録するための第１の記録制御情報と、複数チャンネルの同時自動録画に対応して第２の記憶媒体へコンテンツを記録するための第２の記録制御情報とを含むデフォルト記録制御情報を記憶する記憶手段と、
前記第１の記憶媒体と前記第２の記憶媒体とを少なくとも含む複数の記憶媒体に記憶されるそれぞれのアイドル状態を含めた通電時間情報を検出する検出手段と、
前記デフォルト記録制御情報に基づいて、前記第１，第２の記憶媒体へ前記コンテンツを記録するよう制御する記録制御手段と、
を備え、
前記記録制御手段は、前記第１，第２の記憶媒体の前記アイドル状態を含めた通電時間のいずれかが一定値を超えた場合、前記第１の記憶媒体と前記第２の記憶媒体のうち、前記アイドル状態を含めた通電時間の累積値が低い記憶媒体にコンテンツを優先的に記録するよう制御することを特徴とする記録制御装置。
【請求項２】
前記複数チャンネルに対応した複数のチューナーをさらに備えることを特徴とする請求項１に記載の記録制御装置。
【請求項３】
前記第１の記憶媒体は、モータにより回転される第１のサイズのディスクを含んで構成され、
前記第２の記憶媒体は、モータにより回転される前記第１のサイズより大きい第２のサイズのディスクを含んで構成されていることを特徴とする請求項１に記載の記録制御装置。
【請求項４】
前記第１の記憶媒体は、モータにより回転される第１のサイズのディスクを含んで構成され、
前記第２の記憶媒体は、モータにより回転される前記第１のサイズと同サイズのディスクを含んで構成されていることを特徴とする請求項１に記載の記録制御装置。
【請求項５】
複数の記憶媒体にコンテンツを記録する記録制御方法であって、
番組指定録画に対応して第１の記憶媒体へコンテンツを記録するための第１の記録制御情報と、複数チャンネルの同時自動録画に対応して第２の記憶媒体へコンテンツを記録するための第２の記録制御情報とを含むデフォルト記録制御情報に基づいて前記第１，第２の記憶媒体へ前記コンテンツを記録するよう制御するステップと、
前記第１の記憶媒体と前記第２の記憶媒体とを少なくとも含む複数の記憶媒体のそれぞれの、アイドル状態を含めた通電時間情報を検出するステップと、
前記第１，第２の記憶媒体の前記アイドル状態を含めた通電時間のいずれかが一定値を超えた場合、前記第１の記憶媒体と前記第２の記憶媒体のうち、前記アイドル状態を含めた通電時間の累積値が低い記憶媒体にコンテンツを優先的に記録するよう制御するステップと、
を有することを特徴とする記録制御方法。